(57)【要約】  つま先から踵に向かう方向である長手方向（Ｘ）において互いに隣接する前足部（２）、中足部（３）及び後足部（４）を含む履物底である。前足部（２）、中足部（３）及び後足部（４）は、長手方向に延在する補剛シャンク（１１）を含む。補剛シャンク（１１）は、主に長手方向に展開して、後足部（４）から前足部（２）まで延在している。補剛シャンク（１１）は、長手方向への展開に沿って、交互に柔軟性が異なる領域を有し、当該領域における柔軟性は、ある範囲と当該範囲に隣接する範囲との間で、連続的に次第に変化する。【選択図】図２
2018501916.tif 000002
【特許請求の範囲】
【請求項１】
つま先から踵に向かう方向である長手方向（Ｘ）において互いに隣接する前足部（２）、中足部（３）及び後足部（４）を含み、
前足部（２）、中足部（３）及び後足部（４）は、前記長手方向に延在する補剛シャンク（１１）を含み、
補剛シャンク（１１）は、主に前記長手方向に展開して、後足部（４）から前足部（２）まで延在し、
補剛シャンク（１１）は、前記長手方向への展開に沿って、交互に柔軟性が異なる領域を有し、
当該領域における柔軟性は、ある部分と当該部分に隣接する部分との間で、連続的に次第に変化する、履物底。
【請求項２】
前記交互に柔軟性が異なる領域は、前記長手方向への展開に沿って、補剛シャンク（１１）の層厚（Ｓ１、Ｓ２、Ｓ３、Ｓ４）が次第に変化することにより形成される、請求項１に記載の履物底。
【請求項３】
層厚（Ｓ１、Ｓ２、Ｓ３、Ｓ４）が次第に変化することは、層厚の比較的大きい部分と層厚の比較的小さい部分とにより規定される、請求項２に記載の履物底。
【請求項４】
補剛シャンク（１１）は、前足部（２）、中足部（３）及び後足部（４）のそれぞれの領域において、前記層厚の比較的大きい部分を少なくとも一つ含む、請求項３に記載の履物底。
【請求項５】
前足部（２）、中足部（３）及び後足部（４）は、それぞれ、前記層厚の比較的小さい部分によって分けられている、請求項３又は４に記載の履物底。
【請求項６】
前足部（２）は、前記層厚の比較的小さい部分を少なくとも２つ含み、その１つは履物底の長手方向の端部付近に位置する、請求項３から５のいずれか１項に記載の履物底。
【請求項７】
補剛シャンク（１１）は、互いに反対側に位置する面（１５、１６）を有し、
層厚（Ｓ１、Ｓ２、Ｓ３、Ｓ４）は、波の先端（１４）と波の窪み（１３）とが交互に並ぶ起伏（１２）の形状により変化する、請求項２から６のいずれか１項に記載の履物底。
【請求項８】
起伏（１２）は、補剛シャンク（１１）の一つの面（１５）にのみ存在する、請求項７に記載の履物底。
【請求項９】
起伏（１２）を有する面（１５）は、足を支持する面（１６）とは反対側の面である、請求項８に記載の履物底。
【請求項１０】
補剛シャンク（１１）が土踏まずの支持部を形成する、請求項１から９のいずれか１項に記載の履物底。
【請求項１１】
一面に凹部（７）が設けられた底本体（５）を含み、補剛シャンク（１１）が少なくとも部分的に凹部（７）に収容される、請求項１から９のいずれか１項に記載の履物底。
【請求項１２】
凹部（７）は、補剛シャンク（１１）の形状に対して相補的な形状を有する、請求項１１に記載の履物底。
【請求項１３】
凹部（７）は、補剛シャンク（１１）の起伏（１２）の形状に対して、相補的な形状を有し、雄雌嵌合する多数の起伏の形状を有する、請求項１２に記載の履物底。
【発明の詳細な説明】
【技術分野】
【０００１】
本発明は、主に長手方向への展開を有し、長手方向に延びる補剛シャンクを含む改良された履物底に関する。
【背景技術】
【０００２】
これらの特性を備えた履物底として、例えば、特許文献１が知られている。そこでは、“アーチサポート”と名付けられた補剛シャンクが、後足部から隣接する中足部の最初の部分まで延び、土踏まずに対応する領域において、主に履物を補強する役割を果たしている。
【０００３】
また、特許文献２には、土踏まずに対応する領域において、長手方向に対して斜めに延びる捻れた補剛シャンクが開示されている。
【０００４】
特許文献３には、一連の半剛性プレート群であって、ヒンジを形成する局所的に弱い領域を経て互いに連結されている、スポーツ靴用の補剛シャンクが開示されている。この場合にも、シャンクの伸長は、主に土踏まずに対応する領域に限定されている。
【先行技術文献】
【特許文献】
【０００５】
【特許文献１】米国特許第１８９５６６０号明細書
【特許文献２】米国特許第６７８５９８６号明細書
【特許文献３】米国特許出願公開第２００７／０１０７２６４号明細書
【発明の概要】
【発明が解決しようとする課題】
【０００６】
これらのシャンクやアーチサポートの目的は、使用者の足を支持し、それによって歩行を楽にすることである。しかしながら、従来とは異なる寸法、剛性及び弾性性能を持つシャンクを使用することにより、さらに効果を高められる場合がある。
【０００７】
それゆえに、本発明が解決する問題は、足の局所的な支持を増加させることで、履物の快適性を改良することである。
【課題を解決するための手段】
【０００８】
この問題は、本発明により改良された履物底によって解決される。
【０００９】
本発明の特徴と利点は、添付の図面を参照して、好適であるが、非限定的で典型的な実施形態である次の詳細な説明によって、明らかにされる。
【図面の簡単な説明】
【００１０】
【図１】Ａ−Ａ線に沿って曲面で切断した本発明の履物底の断面図である。
【図２】図１の分解図である。
【図３】本発明の履物底の平面図である。
【発明を実施するための形態】
【００１１】
図中の符号１は、本発明である履物底の全体を示す。前足部２、中足部３及び後足部４は、つま先から踵に向かう方向である長手方向（Ｘ）において互いに隣接し、履物底１を形成する。履物底１は底本体５を有しており、底本体５は、下側に、歩行中に地面に対向する底面６と、上側に、底本体５の端部から延びる周囲枠８によって囲まれた凹部７と、を有する。以下で述べる形状である中央の空洞部１０は、上述の上側の表面に形成される。
【００１２】
空洞部１０は、底本体５の長手方向への延在部分に対応する延在部分を持つ補剛シャンク１１を、後足部４から前足部２にかけて確実に連結させて、収容する。好適な態様によれば、補剛シャンク１１は、その長手方向への展開に沿って繰り返される、交互に柔軟性の異なる領域を有する。好ましくは、その柔軟性の異なる領域は、ある柔軟を有する部分から、その部分に隣接する部分にかけて、連続的に次第に変化する柔軟性を有する。
【００１３】
好ましくは、この柔軟性の変化は、補剛シャンク１１の長手方向への展開に沿って、補剛シャンク１１の層厚Ｓ１、Ｓ２、Ｓ３、Ｓ４が漸進的に変化することによって供給される。より好ましくは、その層厚は、先端１４に続く窪み１３を含む起伏１２の形状により変化する。
【００１４】
好ましくは、補剛シャンク１１において、層厚の比較的大きい領域と層厚の比較的小さい領域とが交互になることである。これにより、単一の補強要素を使用することで、本発明である履物底１を有する履物に、柔軟性および支持能力の両方を付与することが可能になる。
【００１５】
一実施形態では、補剛シャンク１１は、後足部４において、層厚が比較的大きい最初の部分を有し、好ましくは、踵において有する。
【００１６】
好ましくは、この層厚の比較的大きい領域に、履物底１の長手方向への展開に沿って、層厚の比較的小さい部分が続き、例として、後足部４と中足部３との間で変化してもよい。
【００１７】
また、好適態様によれば、層厚の比較的大きい部分は、中足部３に位置する。また、好ましくは、前足部２は、層厚の比較的大きい部分を含む。
【００１８】
一実施形態では、補剛シャンク１１は、中足部３と前足部２の間の移行領域で、層厚の比較的小さい部分を持つ。
【００１９】
好適態様によれば、補剛シャンク１１は、前足部２、中足部３及び後足部４のそれぞれの領域において、層厚の比較的大きい部分を含む。好ましくは、これらの領域は、それぞれ層厚の比較的小さい部分によって分けられる。
【００２０】
また、好ましくは、前足部２は、履物用底１における長手方向の端部付近に、層厚の比較的小さい部分を含む。
【００２１】
好適態様によれば、異なる層厚の領域を形成する起伏１２の形状は、補剛シャンク１１の片面１５にのみ存在している。その反対側（言い換えれば、使用中の履物の内部に対向する側）の面１６は、本質的に平坦である。
【００２２】
好適態様によれば、補剛シャンク１１をソール本体５に収容する空洞部１０は、補剛シャンク１１に対して相補的な形状を有する。好ましくは、空洞部１０は、長手方向への展開部に沿って交互に繰り返される起伏１２の形状を供給する補剛シャンク１１の面１５に対向する基部表面１７を持つ。そして、そのような方法で形成及び供給される補剛シャンク１１上の起伏１２と基部表面１７とは、雄雌嵌合する相補的な形状を有する。
【００２３】
その履物底１の機能と位置により、補剛シャンク１１は、履物底１において土踏まずの支持部を形成する。
【符号の説明】
【００２４】
１  履物底
２  前足部
３  中足部
４  後足部
５  底本体
６  底面
７  凹部
８  周囲枠
１０  空洞部
１１  補剛シャンク
１２  起伏
１３  窪み
１４  先端
１５  面
１６  反対側の面
１７  基部表面
ｘ  長手方向
【図１】
2018501916.tif 000003
【図２】
2018501916.tif 000004
【図３】
2018501916.tif 000005
【国際調査報告】
2018501916.tif 000006
2018501916.tif 000007